(57)【要約】【課題】耐候性に優れ、長期間にわたって色鮮やかに印刷内容を表示可能な利便性の高い表示板及びそれを備えた表示装置を提供する。【解決手段】透光シート５に表面側印刷層６及び裏面側印刷層７が形成された印刷シート４を備えた表示板１であって、印刷シート４の表面を保護する透明樹脂層８が設けられ、透明樹脂層８及び印刷層６及び７のうち、少なくとも裏面側印刷層７に紫外線吸収剤が配合された構成とし、より好ましくは印刷シート４を剛性を有する透光シート５に再剥離可能に貼着した構成とする。【選択図】図２
0003147960.tif 000002
【実用新案登録請求の範囲】
【請求項１】
透光シートに印刷層が形成された印刷シートを備え、前記印刷シートの表面を保護する透明樹脂層が設けられ、前記印刷層及び透明樹脂層に紫外線吸収剤が配合されたことを特徴とする表示板。
【請求項２】
前記印刷層が透光シートの表裏両面に形成され、前記紫外線吸収剤が少なくとも前記透光シートの裏面側に形成された印刷層に配合されたことを特徴とする請求項１記載の表示板。
【請求項３】
前記印刷シートが剛性を有する透光性の基板に貼着されたことを特徴とする請求項１又は２記載の表示板。
【請求項４】
前記印刷シートは、前記基板から再剥離可能とされたことを特徴とする請求項１〜３のいずれかに記載の表示板。
【請求項５】
前記透明樹脂層が、塩化ビニル樹脂から構成されたことを特徴とする請求項１〜４のいずれかに記載の表示板。
【請求項６】
請求項１〜５のいずれかに記載の表示板と、箱状に形成され、前面に開口を有する装置本体と、前記装置本体内に配設される光源と、前記開口の周縁に設置され、前記表示板を着脱自在に保持する枠体とを備えたことを特徴とする内照式表示装置。
【請求項７】
前記枠体は、断面視で基端側が前記装置本体に固定され、先端側が前記装置本体の前方で枠体の半径方向内方に折り曲げられて折曲部が形成され、該折曲部の先端部に装置本体に向かって突出する突片が形成されたことを特徴とする請求項６記載の内照式表示装置。
【請求項８】
前記表示板が、中央部が窪んだ凹状あるいは中央部が膨出した凸状に湾曲して保持されたことを特徴とする請求項７記載の内照式表示装置。
【考案の詳細な説明】
【技術分野】
【０００１】
本考案は、特に屋外で宣伝広告に好適に使用される表示板及びその表示板を表示する内照式表示装置に関するものである。
【背景技術】
【０００２】
従来より屋外で使用される表示装置として、例えば、特許文献１に示すように、前面に表示板を着脱自在に保持するアルミ枠を備えた内照式表示装置が知られている。上記表示装置に装着される表示板としては、印刷層が形成された印刷シートの表面にさらに透明樹脂層を形成して印刷シート表面を保護したものが使用される。透明樹脂層には紫外線吸収剤が配合され、これにより日光の紫外線による印刷層の変色や退色を防止するようになっている。
【特許文献１】実用新案登録第３０７７２０３号公報
【考案の開示】
【考案が解決しようとする課題】
【０００３】
ところで、内照式表示装置においては、光源からも少量ながら紫外線が放射される。ただ、光源から放射される紫外線量は日光に比べて微量であるため、日常生活における紫外線の影響はほとんど問題となっていなかった。
【０００４】
ところが、本願考案者は、内照式表示装置において、蛍光灯に代表される光源がバックライトとして使用される場合、表示板と光源との距離が短いため、光源から放射される紫外線が印刷層の変色や退色に影響を及ぼすことを見いだした。すなわち、上記表示装置においては、表示板の後方の光源から照射される紫外線を効果的にカットすることができず、印刷層の変色や退色を招くおそれがあった。
【０００５】
そこで、本考案は、耐候性に優れ、長期間にわたって色鮮やかに印刷内容を表示可能な利便性の高い表示板及びそれを備えた表示装置を提供することを目的とする。
【課題を解決するための手段】
【０００６】
上記目的を達成するため、本考案に係る表示板は、透光シートに印刷層が形成された印刷シートを備え、前記印刷シートの表面を保護する透明樹脂層が設けられ、前記印刷層及び透明樹脂層に紫外線吸収剤が配合されたことを特徴とする。
【０００７】
上記構成によれば、日光に含まれる紫外線を透明樹脂層中の紫外線吸収剤によってカットするのみならず、装置本体に設置された光源から放射される紫外線は印刷層中の紫外線吸収剤によってそれぞれ吸収されるため、印刷層の変色及び退色を効率よく抑制することができる。
【０００８】
本考案に係る表示板は内照式表示装置に装着して使用される。内照式表示装置においては、日中は太陽光の反射光により表示板の内容を表示し、夜間は光源（バックライト）からの透過光により表示板の内容を表示する。印刷層は、印刷シートの片面に形成すればよいが、バックライトによって表示板の内容を表示するときに、印刷層が１層のみでは色が薄く表示される場合がある。このような場合には、透光シートの両面に印刷層が形成される。
【０００９】
印刷層が透光シートの両面に形成される場合には、少なくとも印刷シート裏面側の印刷層に紫外線吸収剤を配合すればよい。透光シートの表面側印刷層に紫外線吸収剤を配合しなくとも、大部分の紫外線は表面側印刷層に到達する前に透明樹脂層及び裏面側印刷層によりカットされる。よって、紫外線吸収効果を維持しつつ紫外線吸収剤の使用量を減らすことが可能となる。
【００１０】
表示板としては、印刷シートをそのまま使用してもよいが、印刷シートを剛性を有する透光性の基板に貼着したものを用いれば、取扱性に優れ、表示板の表示装置への装着が容易になるとともに、表示板が表示装置から外れるおそれの少ない丈夫な表示板を提供することができる。
【００１１】
また、剛性を有する透光性の基板を用いる場合、印刷シートを基板から再剥離可能とすることにより、基板の再利用が可能となる。印刷シートを基板に再剥離可能に貼着するためには、タック性を有する粘着剤を用いればよい。
【００１２】
印刷シートの表面を保護する透明樹脂層を構成する樹脂としては、強靭で耐候性に優れた塩化ビニル樹脂を使用するのが好ましい。また、塩化ビニル樹脂は、紫外線吸収剤と混合しやすいため、紫外線吸収剤を透明樹脂層中に均一に混合することが可能となり、印刷シート全面においてムラなく均一に紫外線をカットすることができる。
【００１３】
上述した表示板は、箱状に形成され、前面に開口を有する装置本体と、前記装置本体内に配設される光源と、前記開口の周縁に設置され、前記表示板を着脱自在に保持する枠体とを備えた内照式表示装置に好適に使用することができ、光源から放射される紫外線による印刷層の変色や退色を効果的に抑制することができる。
【００１４】
また、表示装置として、枠体が、断面視で基端側が前記装置本体に固定され、先端側が装置本体の前方で枠体の半径方向内方に折り曲げられて折曲部が形成され、折曲部の先端部に装置本体に向かって突出する突片が形成された構成のものを使用すれば、表示板が外れにくい表示装置を得ることができる。この場合、突片が表示板に接触することになるが、表示板の表面は透明樹脂層で保護されているため、印刷層が傷つくおそれがなく、屋外での長期使用が可能となる。
【００１５】
さらに、表示板が、中央部が窪んだ凹状あるいは中央部が膨出した凸状に湾曲した状態で枠体に保持されるようにすれば、平面状態で保持される場合に比べて視覚効果を高めることができる。なお、この場合、表示板を平面状態で保持する場合に比べて、表示板が表示装置から外れやすくなるが、突片が表示板に接触することでその摩擦力により、表示板を枠体で確実に保持することが可能となる。
【考案の効果】
【００１６】
以上の説明から明らかな通り、本考案によると、透光シートに印刷層が形成された印刷シートを備えた表示板において、印刷シートの表面を保護する透明樹脂層を設け、印刷層及び透明樹脂層に紫外線吸収剤を配合したため、日光及び光源から放射される光に含まれる紫外線を紫外線吸収剤で吸収するため、印刷層の変色や退色を抑制し、耐候性に優れた長期間使用可能な表示板を得ることができる。
【考案を実施するための最良の形態】
【００１７】
以下、本考案の実施形態を図面に基づいて説明する。図１は本考案に係る表示板の実施形態を示す正面図を、図２は図１における表示板の断面図をそれぞれ示す。図１及び図２に示すように、本実施形態の表示板１は、剛性を有する透光性の基板２としてのポリアクリル板を用い、その表面にタック性を有する粘着剤３を介して印刷シート４が貼着された構成とされている。
【００１８】
したがって、基板２に貼着された印刷シート４は再剥離可能とされ、古い印刷シート４を剥離した後、基板２に新しい印刷シート４を貼着することにより、容易に表示板１を再作製することができる。基板２は、表示板１としての強度を高める目的のほか、透光性を有する乳白色とすることで、後述する光源の光を拡散して基板全面から前方に放射する拡散板としての役割も果たす。
【００１９】
印刷シート４は、透光シート５と、透光シート５の表裏両面に形成された印刷層６及び７とを備えており、印刷シート４の表面、すなわち、表面側印刷層６の表面には、印刷シート４を保護する透明樹脂層８が形成されている。透光シート５としては、ＰＥＴ（ポリエチレンテレフタレート）シートを使用しているが、これに限らず、ポリプロピレン、ポリエチレン、ポリカーボネートなどの透光性を有する合成樹脂シートを使用することができる。
【００２０】
透明樹脂層８を構成する樹脂としては、印刷シート４の表面を保護するものであればよいが、特に塩化ビニル樹脂を使用すれば、有機化合物との相溶性に優れるという性質から後述する紫外線吸収剤を配合したときに、紫外線吸収剤を透明樹脂層８全体に均一に分散させることが可能となる。したがって、印刷シート４表面に日光が照射されても、シート全面においてムラなく均一に紫外線をカットすることができる。さらに、塩化ビニル樹脂は、強靭性を有しているため、透明樹脂層８自身も傷がつきにくいという利点を有する。
【００２１】
印刷層６及び７は、透光性を有するインクを透光シート５に両面印刷することにより形成される。透明樹脂層８及び印刷層６及び７には、紫外線吸収剤が配合されている。紫外線吸収剤としては、通常、プラスチックの紫外線吸収剤として使用されるベンゾフェノン系、サリチレート系、ベンゾトリアゾール系、アクリロニトリル系等の化合物を使用することができる。
【００２２】
紫外線吸収剤は印刷層６及び７の両層に配合してもよいが、本実施形態では透光シート５の裏面側に形成される裏面側印刷層７にのみ紫外線吸収剤を配合している。前記構成によれば、表面側印刷層６には紫外線吸収剤は配合されないものの、印刷シート４の表面側から照射される紫外線は透明樹脂層８にてカットされ、印刷シート４の裏面側から照射される紫外線は裏面側印刷層７にてカットされるため、表面側印刷層６における変色や退色を効果的に抑制することができる。
【００２３】
なお、蛍光灯等の光源から放射される紫外線量は日光に含まれる紫外線量に比べて少量であるため、印刷層６及び７に配合する紫外線吸収剤の配合割合は、透明樹脂層８に配合する紫外線吸収剤の配合割合よりも少なくなるように調整する。このように印刷層６及び７に配合する紫外線吸収剤の配合割合を少なくすることで、印刷層形成時の印刷性の低下を防止することができる。
【００２４】
なお、本実施形態では、透孔シート５の表裏両面に印刷層６及び７を形成しているが、図３に示すように、透孔シート５の表面側にのみ印刷層６を形成してもよい。この場合、紫外線吸収剤は、透明樹脂層８及び印刷層６に配合される。
【００２５】
図４〜図７は、本考案に係る表示装置の実施形態を示す図であり、図４は表示装置の正面図、図５は表示装置の下面図、図６は表示装置の側面図、図７は表示装置の要部拡大断面図である。
【００２６】
表示装置１０は、箱状に形成され、前面に開口１１を有する装置本体１２と、装置本体１２の内部に配設される光源１３と、開口１１の周縁に設置され、表示板１を着脱自在に保持する枠体１４とを備えている。装置本体１２及び枠体１４はアルミニウム製とされ、これにより軽量化を図りつつ、補強材１５により強度を高めている。
【００２７】
枠体１４は、開口１１の上端縁、下端縁、右端縁及び左端縁に沿って配される４つの棒状の枠部材１４ａ、１４ｂ、１４ｃおよび１４ｄから構成される。これらの枠部材は、いずれも断面形状が同じとされている。図７は、枠部材１４ａを示す拡大断面図である。すなわち、枠部材１４ａ、１４ｂ、１４ｃ及び１４ｄは、いずれも断面視で基端側１６が装置本体１０の前面にネジ止めされ、先端側が装置本体の前方で枠体１２の半径方向内方に折り曲げられて折曲部１７が形成される。
【００２８】
折曲部１７の先端部には、装置本体１２に向かって突出する突片１８が形成されている。表示板１は、開口１の端縁と折曲部１７との間に形成される凹部１９に表示板周縁部が挿入され、これにより表示板１が枠体１２を介して表示装置１０の前面に保持される。
【００２９】
表示板１は、透明樹脂層８が表示装置１０の前方を向くようにして枠体１４に保持される。このとき、突片１８が表示板１に接触することになるが、突片１８が直接接触するのは透明樹脂層８であるため、印刷シート４が傷つくおそれはない。また、透明樹脂層８は、軟質塩化ビニル樹脂で構成されているため、表示板１は、突片１８と透明樹脂層８との間の摩擦力により枠体１４から外れることなく、しっかりと保持される。
【００３０】
なお、表示板１は、枠体１４に対して平面状態で保持される場合のみならず、例えば、図８に示すように、表示板１が、中央部が窪んだ凹状に湾曲した状態で枠体に保持されてもよいし、図９に示すように、表示板１が中央部が膨出した凸状に湾曲した状態で枠体１４に保持されるようにしてもよい。このように、表示板１を湾曲した状態で枠体１４に保持する場合、基板２が剛性を有するため、表示板１が元の平面状態に復帰しようとして枠体１４に弾性力がかかることになる。このような場合であっても、突片１８が表示板１にしっかりと圧接し、摩擦力により表示板１を枠体１４に確実に保持することができる。
【図面の簡単な説明】
【００３１】
【図１】本考案に係る表示板の実施形態を示す正面図
【図２】上記表示板の断面図
【図３】別の態様の表示板を示す断面図
【図４】本考案に係る表示装置の正面図
【図５】上記表示装置の下面図
【図６】上記表示装置の側面図
【図７】上記表示装置の要部拡大図
【図８】表示装置の第二の態様を示す側面図
【図９】表示装置の第三の態様を示す側面図
【符号の説明】
【００３２】
１      表示板
２      基板
３      粘着剤
４      印刷シート
５      透光シート
６      表面側印刷層
７      裏面側印刷層
８      透明樹脂層
１０    表示装置
１１    開口
１２    装置本体
１３    光源
１４    枠体
１５    補強材
１６    基端部
１７    折曲部
１８    突片
１９    凹部
【図１】
0003147960.tif 000003
【図２】
0003147960.tif 000004
【図３】
0003147960.tif 000005
【図４】
0003147960.tif 000006
【図５】
0003147960.tif 000007
【図６】
0003147960.tif 000008
【図７】
0003147960.tif 000009
【図８】
0003147960.tif 000010
【図９】
0003147960.tif 000011